(57)【要約】スプール上に釣り糸を巻付けてあるいは、スプールから釣り糸を繰出すためのリールユニット用の釣糸ガイドが、リールユニットの筐体上に設けられて、キャリッジガイドおよび少なくとも１つの釣糸小穴を有するキャリッジ要素を備える。このキャリッジガイドは、スプールの歯車機構に機能的に連結されることができる。有利には、キャリッジガイドは、軸状案内シャフトとして構成され、そして、キャリッジ要素は、軸状案内シャフトに誘導するための雌ねじ付きのガイド溝を備えている。【選択図】図３
2008524994.tif 000002
【特許請求の範囲】
【請求項１】
リールユニット（２）の筐体（５）上に設けられるスプール（４）上へ／から釣り糸（３）を巻付けて／繰出すための前記リールユニット（２）用の釣糸ガイドであって、そこにおいて、前記釣糸ガイド（７）がキャリッジガイド（８）および少なくとも一つの釣糸小穴（１０）を有するキャリッジ要素（９）を備え、かつ前記キャリッジガイド（８）が前記スプール（４）の歯車装置に機能的に結合される、釣糸ガイドにおいて、前記キャリッジガイド（８）が、軸状案内シャフト（８）として設計され、かつ、前記キャリッジ要素（９）は、前記軸状案内シャフト（８）上で案内するための雌ねじ（１２）を有するガイド溝（１３）を備える、ことを特徴とする釣糸ガイド。
【請求項２】
前記釣糸ガイド（７）の駆動機構が、スイッチ素子（２６）によって前記スプール（４）の駆動機構（５．３）から外されることができる、ことを特徴とする請求項１に記載の釣り糸ガイド。
【請求項３】
リールユニット（２）の筐体（５）上に設けられるスプール（４）上へ／から釣り糸（３）を巻付けて／繰出すための前記リールユニット（２）用の釣糸ガイドであって、そこにおいて、前記釣糸ガイド（７）がキャリッジガイド（８）および少なくとも一つの釣糸小穴（１０）を有するキャリッジ要素（９）を備え、かつ前記キャリッジガイド（８）が前記スプール（４）の歯車装置に機能的に結合される、釣糸ガイドにおいて、前記釣糸ガイド（７）の駆動機構が、スイッチ素子（２６）によって前記スプール（４）の駆動機構（５．３）から外されることができる、ことを特徴とする釣糸ガイド。
【請求項４】
前記キャリッジガイド（８）が、軸状案内シャフト（８）として設計され、かつ、前記キャリッジ要素（９）は、前記軸状案内シャフト（８）上で案内するための雌ねじ（１２）を有するガイド溝（１３）を備える、ことを特徴とする請求項３に記載の釣り糸ガイド。
【請求項５】
前記キャリッジ要素（９）が、前記ガイド溝（１３）、ボア穴（１４）に加えて、そこにおいて前記軸状案内シャフト（８）と平行して配置されるガイドレールが案内されることを含む、ことを特徴とする請求項１ないし４のうち１つに記載の釣り糸ガイド。
【請求項６】
前記軸状案内シャフト（８）が、前記スプール軸（ＳＡ）と平行して、かつ前記リールユニット（２）の前記筐体（５）の前記２つの筐体セクション（５．１、５．２）の間に配置される、ことを特徴とする請求項１ないし５のうち１つに記載の釣り糸ガイド。
【請求項７】
前記ガイド溝（１３）のおよび／または前記ボア穴（１４）の前記長手方向の軸が、前記釣糸小穴（１０）の前記長手方向の軸に対して垂直である、ことを特徴とする請求項１ないし６のうち１つに記載の釣り糸ガイド。
【請求項８】
前記軸状案内シャフト（８）が、平歯車（１６）と係合する案内歯車（１５）を備えており、かつ、前記平歯車（１６）が、歯車要素（２４）によって機能的に駆動機構（５．３）に結合される、振り子板（１９）によって駆動される、ことを特徴とする請求項１ないし７のうち１つに記載の釣り糸ガイド。
【請求項９】
前記平歯車（１６）が円形円板形状を有し、かつ、前記案内歯車（１５）と係合する、いくつかのギヤ歯（１６．１）を備える、ことを特徴とする請求項８に記載の釣り糸ガイド。
【請求項１０】
前記平歯車（１６）が、少なくとも一つの凹部（１７．１、１７．２）を備え、その中に、前記振り子板（１９）の前記底面から突出する少なくとも一つの軸受要素（１８．１、１８．２）が係合する、ことを特徴とする請求項８あるいは９に記載の釣り糸ガイド。
【請求項１１】
前記振り子板（１９）が円弧状の凹部（２１）を備え、そこにおいて、前記歯車要素（２４）が案内される、ことを特徴とする請求項８ないし１０のうち１つに記載の釣り糸ガイド。
【請求項１２】
いくつかの案内ピンが、前記円弧状の凹部（２１）内に配置され、それ（案内ピン）が、前記振り子板（１９）の前記上面から垂直に突出し、かつ、円弧セグメントを形成する、ことを特徴とする請求項１１に記載の釣り糸ガイド。
【請求項１３】
前記円弧状の凹部（２１）が、１つの上下のガイド（２１．１、２１．２）を備え、それは、１つの左右の外側逆転点（２１．３、２１．４）で円弧の形状に互いに結合する、ことを特徴とする請求項１１あるいは１２に記載の釣り糸ガイド。
【請求項１４】
前記振り子板（１９）の前記対称軸（ＭＡ）に沿って前記円弧状の凹部（２１）の上下に、１つの第１および第２の軸受要素（１８．１、１８．２）が、配置され、それは、前記振り子板（１９）の前記底面から垂直に突出する、ことを特徴とする請求項１１ないし１３のうち１つに記載の釣り糸ガイド。
【請求項１５】
前記案内ピン（２２）が、前記凹部（２１）の中で前記振り子板（１９）の対称軸（ＭＡ）に対称的に配置される、ことを特徴とする請求項１１ないし１４のうち１つに記載の釣り糸ガイド。
【請求項１６】
前記歯車要素（２４）が、軸受要素（２４．１）を備え、それは、前記上または下のガイド（２１．１、２１．２）によって案内される、ことを特徴とする請求項１３ないし１５のうち１つに記載の釣り糸ガイド。
【請求項１７】
前記歯車要素（２４）の前記第１歯車（２４．２）が、前記振り子板（１９）の前記案内ピン（２２）と係合し、かつ、前記第２歯車（２４．３）が、前記スプール（４）の前記駆動装置（５．３）のピニオンギア（５．４）に機能的に結合されることができる、ことを特徴とする請求項１３ないし１５のうち１つに記載の釣り糸ガイド。
【請求項１８】
前記振り子板（１９）が、前記軸状案内シャフト（８）を駆動するための振動振り子回転運動を実行し、それ（運動）が、前記平歯車（１６）上に設けられる前記ギヤ歯（１６．１）と前記ギヤ歯に係合する前記軸状案内シャフト（８）上の前記案内歯車（１５）とによって、前記軸状案内シャフト（８）の振動回転運動に変換される、ことを特徴とする請求項１３ないし１７のうち１つに記載の釣り糸ガイド。
【請求項１９】
筐体（５）と、スプール（４）上に前記釣り糸（３）を巻付けて／繰出すために人手クランク（６）によって歯車装置を通して回転させられることができる、前記筐体に回転可能に取り付けられるスプール（４）と、を備える、釣り竿（１）上の使用のための釣り糸用のリールユニットであって、前記釣糸ガイド（７）が、先行の請求項の１つに従って設計される、ことを特徴とするリールユニット。
【請求項２０】
前記スプールの前記歯車装置が、逆転歯車装置として設計される、ことを特徴とする請求項１９に記載のリールユニット。
【請求項２１】
前記逆転歯車装置は、前記スプール（４）の前記筐体（５）上に設けられるスイッチ素子（２６．２）によって切り換えられることができる、ことを特徴とする請求項２０に記載のリールユニット。
【請求項２２】
前記釣糸ガイド（７）の前記駆動機構は、前記スプール（４）の前記筐体（５）上に設けられるスイッチ素子（２６．１）によってオンオフされることができる、ことを特徴とする請求項１９ないし２１のうち１つに記載のリールユニット。
【請求項２３】
前記スプール軸（２７．１、２７．２）と平行して配置される少なくとも２つの対向するプリズムガイドが、前記筐体（５）上に設けられ、かつ、前記リールユニット（２）を前記釣り竿（１）に取り付けるために、底部要素（２９）および保持要素（３０）によって前記竿（１）に結合されるプリズムキャリッジ要素（２８）が、前記プリズムガイド（２７．１、２７．２）の１つに係合する、ことを特徴とする請求項１９ないし２２のうち１つに記載のリールユニット。
【請求項２４】
前記リールユニット（２）が前記スプール軸（ＳＡ）に沿って異なる接続点で前記釣り竿（１）に取り付けられることができるように、前記それぞれのプリズムガイド（２７．１、２７．２）に係合する前記プリズムキャリッジ要素（２８）の位置が、可変に調整されることができる、ことを特徴とする請求項２３に記載のリールユニット。
【発明の詳細な説明】
【技術分野】
【０００１】
本発明は、請求項１の前文に従う釣糸ガイドに、および、請求項１７の前文に従うリールユニットに関する。
【背景技術】
【０００２】
釣り糸を巻き取り、および繰出すための、いわゆるリールユニットは、公知技術であり、リールユニットは、釣り竿に固定されることができ、かつ筐体上に、釣り糸用の回転可能なベアリング支持されたリールあるいはスプールを備えることができる。特に、リールユニットは、リールが軸上で回転することができるように釣り竿上に設けられ、竿を取り囲む面の長手方向の軸に垂直に向けられる、こともまた公知である。この種のリールユニットは、「大物リール」として当業者によって公知である。筐体の側面に設けられ、かつ、被駆動歯車装置、特に逆転装置ユニットによってスプールと機能的に連結される、クランクによって、リールの、特にこの種の大物リールの、手動回転は達成される。歯車装置あるいは逆転装置ユニットは、戻り止め具を設けられ、それは、手動で解除されることができ、および、解除されない位置の場合、釣り糸をリールで引き寄せる目的でスプールの回転を可能にするが、スプールが反対方向に回転するのを防ぐ。釣糸ガイドは常に前方を向く。
通常は、リールユニットは、直立して、すなわち竿の上に取り付けられる。スプールの手動作動用のクランクが、筐体の右側にある。この設計は、元々米国から取り入れられたものであり、そこでは多数の左ききが、左手で竿を保持して、右手でクランクを回すからである。右手で竿を保持して左手でクランクを回したい右ききにとってこの設計は、不適当である。直立して取り付けられるリールについては、クランクは筐体の左側になければならないだろう。したがって、異なる種類のリールユニットが、左ききと右ききに対して必要である。もしリールユニットが、懸架されて、すなわち竿の下に取り付けられることになっているならば、同じことがあてはまる。この場合、異なる種類が、同様に左ききおよび右きき用に必要である。釣糸ガイドの設計に起因して、リールの直立した取付けを目的とする種類の釣糸ガイドを、懸架した取付けに使用することは、可能でない。むしろ、釣糸ガイドの変更あるいは釣糸ガイドの改作が、この場合必要である。
釣糸ガイドを備えた公知のリールユニットの１つの欠点は、例えば切れた釣り糸を修復した後に、釣糸ガイドが、概して釣り糸を巻上げるための最適あるいは正しい位置にないことであり、すなわち、例えば、それはスプール上に巻付けられる釣糸の最後の巻線に関して軸方向にオフセットされ、そのため、ぴったりと隣接する巻取りを有するいくつかの層の、スプールからの釣糸の適切な繰出しは、もはや可能でなく、あるいは、釣糸を修理した後に釣り糸を完全に繰出し、かつ完全に巻き直すことによってだけ可能である。スプールに斜めに巻付けられるこの種の釣糸は釣糸ガイドに莫大な横荷重をかけ、それは釣糸に早まった摩耗を引き起こす。
【発明の開示】
【０００３】
本発明の目的は、この欠点を除去し、更に、例えば切れた釣り糸を修復した後に、単純な方法で釣糸の続けられた最適巻取りおよび繰出しを可能にする、この種の釣糸ガイドを備えた釣糸ガイドとリールユニットを提示することである。この目的は、請求項１に記載の釣糸ガイドによって達成される。この種の釣糸ガイドを備えたリールユニットは、請求項１７の主題である。
本発明の釣糸ガイドにおいて、キャリッジガイドが、軸状案内シャフトとして構成され、および、対応するキャリッジ要素が、軸状案内シャフト上で案内するための雌ねじを有する内部に歯車を付けたガイド溝を備えている。有利には、リールに機能的に連結されることができる歯車機構が軸状案内シャフトを振動回転運動にかけ、この振動回転運動は、リールユニットのクランクを作動させると、スプール上に釣糸を巻付け、および繰出すためのスプール軸と平行して、釣糸小穴を備えるキャリッジ要素を周期的に前後に移動させる。本発明に従う釣糸ガイドの構成は、したがって、対応するリールユニットのスプールあるいはリール上への／からの釣糸の極めて均一な巻取り／繰出しを可能にする。本発明に従う釣糸ガイドは水密に設計されることができ、かつエラーを起こしやすいウォームシャフトを置換する。
本発明に従う釣糸ガイドは、また、リールユニット、特に、全ての種類のマルチプライングリール、特にまた、左ききあるいは右きき用のこの種のリールユニットにも適している。
本発明の別の実施例は、従属する請求項の主題である。
【発明を実施するための最良の形態】
【０００４】
図面において、１は釣り竿を示し、その上に、ウインチあるいはリールユニット２を取り付けるための取り付け装置２７が、釣り糸３の手動巻取りおよび繰出しのために設けられる。図１の図面において、釣り竿上にリールユニット２の懸架取付けが形成される、すなわち、リールユニット２は釣り竿の底面に置かれる。一般に、リールユニットはまた、直立して、すなわち釣り竿の上に取り付けられることもできる。
リールユニット２は、公知の方法で実質的にスプール４から成り、それは釣り糸３を巻付けて、繰出すためのスプール筐体５の２つの要素５．１、５．２間のスプール軸上の軸受に回転可能に取り付けられる。リール４は、リール筐体５の筐体セクション５．１の外側のクランク６によって、および、この筐体セクション５．１内に位置する描写されていない歯車装置あるいは逆転装置ユニットによって作動することができる。
２つの筐体セクション５．１、５．２の間に、スプール軸ＳＡに平行して、および後者から並置して、釣糸ガイド７が設けられ、それはキャリッジガイド８上に釣糸小穴１０を有するキャリッジ要素９を備え、それはキャリッジ９と共に、釣り糸３の最適巻取りのためにキャリッジガイド８に沿ってリール４の回転運動によって前後に移動する。さらに、キャリッジ要素９はガイドレール１１に連結され、それによって、釣糸小穴１０とスプール軸ＳＡとの間の距離が一定に保たれ、したがって、キャリッジガイド８上のキャリッジ要素９のねじれを防ぐ。
キャリッジガイド８は、例えば大きいピッチを有するねじ切りされたスピンドルとして設計されて、キャリッジ要素９の雌ねじ１２によって、ガイド溝１３内に導かれる。さらに、キャリッジ要素９はガイドレール１１を導くためのボア穴１４を備える。ガイド溝１３のおよびボア穴１４の長手方向の軸が、釣糸小穴１０の長手方向の軸に対して垂直に延伸し、および、好ましい実施態様において、ガイド溝１３のおよびボア穴１４の長手方向の軸は、１つの面内にある。
好ましい実施態様において、ねじ棒として構成されるキャリッジガイドあるいは案内シャフト８は２つの筐体セクション５．１、５．２の間に締着され、そして、案内シャフト８の一端に設けられる案内歯車１５によって平歯車１６と機能的に連結される。平歯車１６は、例えば２つの筐体セクション５．１の１つに設けられ、および、案内歯車１５を作動させるための円形ディスク状の平歯車１６の縁に設けられたいくつかのギヤ歯１６．１を備える。
加えて、平歯車１６は１つの第１および第２のほぼ矩形の凹部１７．１、１７．２を備え、振り子板１９の１つの第１および第２の軸受要素１８．１、１８．２が、取り付けられるとそれに係合する。また、軸受ボア２０が回転軸あるいはスプール軸ＳＡ上の回転可能な取付けのために平歯車１６の中心に設けられ、したがって、例えば平歯車１６の駆動歯１６．１に連結される案内歯車１５を通して軸状案内シャフト８を駆動する。このために、平歯車１６は、スプール軸上で振り子のような、例えば四半分円形の回転を、時計回りに、および反時計回りに交互に実行する。
これらの振り子のような交互の回転運動は振り子板１９を通して生成されて、振り子板１９から平歯車１６に、平歯車の第１および第２の凹部１７．１、１７．２に係合する、第１および第２の軸受要素１８．１、１８．２を通して伝達される。第１および第２の軸受要素１８．１、１８．２は、従来の玉軸受要素として設計されることができる。特に軸状案内シャフト８の振り子のような交互の回転運動は、キャリッジ要素９がスプール４の一方の筐体セクション５．１と他方の筐体セクション５．２との間を均一な速度で振動するように計算される。さらに、時計回りから反時計回りへの、およびその逆の、回転運動の交替、すなわちキャリッジ要素９が、２つの筐体セクション５．１、５．２間の軸状キャリッジガイド８の左または右の端部に到達すると、キャリッジ要素９の短い停止に結びつき、それは、特にスプール４の縁領域における釣り糸３の最適化された巻取りおよび繰出しを可能にする。
この種の揺動運動を生成するために、振り子板１９は深さｔ、幅ｂおよび長さｌを有する、ベースプレート１９の中に円弧状の凹部２１を備える。
キャリッジガイドの凹部２１の中に、円弧状の線に沿って等距離の案内ピン２２が、配置される。案内ピンは、例えば凹部２１の深さｔを超える長さを有する、鋼鉄ピンとすることができ、および異なる直径を有し、互いに異なる距離とすることができる。
凹部２１は１つの上下のガイド２１．１、２１．２を備え、それは左右の端部あるいは逆転点２１．３、２１．４で半円に互いに結合する。左右の逆転点２１．３、２１．４は、したがって、１つの第１および第２の外側案内ピン２２．１、２２．２のまわりの半円に配置され、そして、第１および第２の案内ピン２２．１、２２．２および追加の案内ピン２２は、各々凹部２１の上下のガイド２１．１、２２．２から同じ距離で、それぞれ、例えば半分の幅ｂ／２に対応する距離である。加えて、振り子板１９はスプール軸ＳＡを封入する開口２３を備え、その開口の中点は、スプール軸ＳＡに対して垂直に延びる振り子板１９の対称軸ＭＡ上に位置するようになり、および、ＭＡに沿って第１および第２の軸受要素１８．１、１８．２が配置される。第１および第２の軸受要素１８．１、１８．２は、凹部２１の反対側に振り子板１９の底面から垂直に突出し、図５および７に示すように、平歯車１６の２つの矩形凹部１７．１、１７．２内に導かれ、矩形凹部の端部は、同様に半円形である。
特にピニオンギア５．４によって、スプール４の駆動機構５．３に連結される歯車要素２４は、振り子板１９の凹部２１の軸受要素２４．１によって係合して、案内ピン２２と凹部２１の上または下の案内２１．１、２１．２との間に導かれる。さらに、歯車要素２４は１つの第１歯車２４．２および１つの第２歯車２４．３を備え、それは、接続棒２５によって互いに結合される。第１歯車２４．２は、振り子板１９の案内棒２２に係合し、かつ、前記案内ピンによって規定される四半分円形経路上の案内ピン２２に沿って回転し、その間に歯車要素２４が、例えば上または下のガイド２２．１、２２．２の上に載っている軸受要素２４．１によって案内される。左または右の外側案内ピン２２．１、２２．２上で歯車要素２４は、半円形の逆転点２１．３、２１．４をたどり、したがって、円形経路の以前に進行されたセグメントを反対方向に横切るために逆転運動を描く。図９は、一例として左の逆転点２１．３内に配置される第１歯車２４．２を示し、逆転運動中に左の外側案内ピン２２．１によって案内される。
案内ピン２２、２２．１、２２．２を回転する歯車要素２４の第１歯車２４．２のこの運動は、スプール軸ＳＡ上の振り子板１９の前後振動運動を引き起し、それは、第１および第２の軸受要素１８．１、１８．２を通して平歯車１６に伝達され、それは、ギヤ歯１６．１を通して釣糸ガイド７の案内シャフト８を駆動する。案内シャフト８の回転方向は、したがって、振り子板１９の凹部２１の上部ガイドから下部ガイド２１．１、２１．２への第１歯車２４．２の交替で交互になり、そして、その逆も同じである。この点について、案内シャフト８のピッチ、案内ピンの数および平歯車１６と歯車１５の間の変速比は、釣り糸３の巻取りあるいは繰出し中に、釣糸ガイド７が、スプール軸ＳＡと平行に、２つの筐体セクション５．１、５．２の間で均一に前後に動かされるように、適合される。
２つの端部上のキャリッジガイド２１の半円形の設計は、案内シャフトの短い停止に結びつき、したがって釣糸の巻取り中にスプールの完全な案内を達成し、そのため釣り糸３の均一な巻取りが特に縁領域において可能である。
歯車要素２４の第２歯車２４．３は、スプール５の駆動機構５．３とピニオンギア５．４によって結合され、それによって、クランク６によって生成される回転運動が、釣糸ガイド７のあるいはそのキャリッジ要素９の前後振動運動に変換される。
さらに、スプールの駆動機構５．３はスイッチ素子、例えば筐体セクション５．１の側面に設けられる第１の押しボタンあるいはスイッチレバー２６．１、によって切り離されることができ、そのため釣り糸３の断線の場合には、釣糸ガイド７あるいはキャリッジ要素９とスプール上の釣り糸３の巻取りが同期することができる。このために、釣糸ガイド７の駆動機構は第１の押しボタンを押してあるいは筐体５上の第１のスイッチレバー２６．１を操作することによってスプール４から外される、すなわち、釣糸ガイド７はしたがって、その現在の位置のままである。次に、切れた糸３は、釣師によって釣糸小穴１０に糸を通されることができ、そして、釣糸を手動で引っ張ることによって、釣り糸３は、釣糸ガイド７の位置と、スプール４に巻付けられる釣糸３の現在の巻線位置が適合し、したがって、巻付け方向および巻付け位置に関して同期するまで、スプール４から繰出されることができる。釣糸ガイド７の現在の位置に対して釣糸巻付けの整列を完了した後、第１の押しボタン２６．１が解除されあるいは、第１のスイッチレバー２６．１が再び操作され、そして、釣糸ガイド７の駆動機構は遅くとも次回にクランク６が回されるまでには係合する。これは、「停められた」釣糸ガイド７と切れた糸３を容易に同期させることを可能にし、巻付けが続けられる場合、釣糸３が、スプール４上の最後の巻付けに隣接して、堅固に巻付けられることを確実にする。
本発明の本実施例において、逆転歯車機構を備えたリールユニット２が、加えて設けられ、したがって、スプール４の駆動方向を逆転させることを可能にする。スプールの回転方向を切り換えるために、すなわち逆転歯車機構を切り換えるために、第２の押しボタンあるいはスイッチレバー２６．２が筐体５上に設けられる。特に、左利きから右利きの操作に切り換えるために、および、竿１上に直立して、あるいは竿１から懸架してリールユニット２を取り付けるために、リールユニット２を変更する場合、逆転歯車機構の使用は、スプール４上に釣糸３を巻き直す必要性を除去する。
加えて、リールユニット２を竿１に取り付けるために、可動取り付け装置２７が設けられ、それは、２つの筐体セクション５．１、５．２、上であるいは間で１８０°だけオフセットした、１つの第１および第２のプリズムガイド２７．１、２７．２から成り、それは、スプール軸ＳＡに対して平行線上に互いに向かい合わせて、筐体５上に設けられてあるいは、筐体５内に集積化される。さらに、可動取り付け装置２７はプリズムキャリッジ要素２８を備え、取り付けられる時に、竿１の長手方向の軸に対して垂直に延びる保持要素３０と、底部要素２９によって接続される。保持要素３０および、底部要素２９およびプリズムキャリッジ要素２８は、互いに対して垂直である。リールユニット２を取り付けるために、取り付け装置２７のプリズムキャリッジ要素２８は、第１のあるいは第２のプリズムガイド２７．１、２７．２の中に挿入され、そして、底部要素２９上に設けられる締付けねじ３１によって固定される。
上記した可動取り付け装置２７および逆転装置、および、上記した釣糸ガイドはリールユニット２の「４イン１」操作を可能にする、すなわち、リールユニット２は左利きから右利きの操作に、あるいは懸架あるいは直立の搭載の操作に、容易にかつ迅速に切り換えられることができる。逆転歯車機構は、リールユニット２がどのように竿１に取り付けられるかにかかわらずスプール４の回転方向が同じままである、ことを確実にする。第１のあるいは第２のプリズムガイド２７．１、２７．２内で取り付け装置２７のプリズムキャリッジ要素２８を動かすことによって、竿１に取り付けられるリールユニット２をつりあわせることもまた、可能であり、それはリールユニット２を竿１に対して横に動かす。
本発明は、例示的な実施態様に基づいて上記に記載された。言うまでもなく、数多くの修正および変更が、本発明が基づく基本的な発明の考えを放棄せずに可能である。
【図面の簡単な説明】
【０００５】
本発明は、図面を参照して例示的な実施態様に基づいて、更に詳細に記載される。
【図１】釣り竿に取り付けられるリールユニットおよび対応する取り付け装置と共に釣り竿の簡略、分解図を示す。
【図２】リールユニットの構成部品図を示す。
【図３】釣糸ガイドの簡略、平面図を示す。
【図４】釣糸ガイドのキャリッジ要素の簡略、側面図を示す。
【図５】振り子駆動装置の平歯車の側面図を示す。
【図６】振り子板の側面図およびラインｌ−ｌおよび中央軸ＭＡに沿った振り子板を通しての断面を示す。
【図７】振り子駆動装置の個々の構成部品の簡略側面図を示す。
【図８】振り子板に係合する歯車要素の側面図を示す。
【図９】振り子板の凹部に導かれる歯車要素の簡略図を示す。
【符号の説明】
【０００６】
１                    釣り竿
２                    リールユニット
３                    釣り糸
４                    リールユニットのスプール
５                    スプール筐体
５．１                筐体要素
５．２                筐体要素
５．３                駆動機構
５．４                ピニオンギア
６                    クランク
７                    釣糸ガイド
８                    キャリッジガイドあるいは案内シャフト
９                    キャリッジ要素
１０                  釣糸小穴
１１                  ガイドレール
１２                  雌ねじ
１３                  ガイド溝
１４                  ボア穴
１５                  案内歯車
１６                  平歯車
１６．１          駆動歯
１７．１          第１の凹部
１７．２          第２の凹部
１８．１          第１の軸受要素
１８．２          第２の軸受要素
１９                  振り子板
２０                  軸受ボア
２１                  凹部
２１．１          上部ガイド
２１．２          下部ガイド
２１．３          凹部の左の逆転点
２１．４          凹部の右の逆転点
２２．１          左の外側案内ピン
２２．２          右の外側案内ピン
２３                  開口
２４                  歯車要素
２４．１          軸受要素
２４．２          第１歯車
２４．３          第２歯車
２５                  接続棒
２６．１          第１のスイッチレバーあるいは押しボタン
２６．２          第２のスイッチレバーあるいは押しボタン
２７                  移動可能な固定装置
２７．１          第１のプリズムガイド
２７．２          第２のプリズムガイド
２８                  プリズムキャリッジ要素
２９                  底部要素
３０                  保持要素
３１                  締付けねじ
ＳＡ                  スプール軸
ＭＡ                  振り子板の対称軸
【図１】
2008524994.tif 000003
【図２】
2008524994.tif 000004
【図３】
2008524994.tif 000005
【図４】
2008524994.tif 000006
【図５】
2008524994.tif 000007
【図６】
2008524994.tif 000008
【図７】
2008524994.tif 000009
【図８】
2008524994.tif 000010
【図９】
2008524994.tif 000011
【国際調査報告】
2008524994.tif 000012
2008524994.tif 000013
2008524994.tif 000014
2008524994.tif 000015
2008524994.tif 000016
2008524994.tif 000017
2008524994.tif 000018
2008524994.tif 000019
2008524994.tif 000020
2008524994.tif 000021